(57)【要約】【課題】施術者の高い技術を必要とせず、毛髪に対してダメージを与えたり、被施術者に苦痛を与えることなく、より高いウエーブ効果を得られるパーマ用ロッドを提供する。【解決手段】毛髪を巻き付けるための軸体２からなり、軸体２は、その少なくとも一部が外部刺激に応答して形状変化が惹起されるアクチュエート材料４によって構成された変形部６を有し、変形部６は、アクチュエート材料４の形状変化に基づいて軸体２の外径を増大させるように変形するものであるパーマ用ロッド１。【選択図】図１
2006068081.tif 000002
【特許請求の範囲】
【請求項１】
毛髪を巻き付けるための軸体からなり、
前記軸体は、その少なくとも一部が外部刺激に応答して形状変化が惹起されるアクチュエート材料によって構成された変形部を有し、
前記変形部は、前記アクチュエート材料の形状変化に基づいて前記軸体の外径を増大させるように変形するものであるパーマ用ロッド。
【請求項２】
前記アクチュエート材料として、熱刺激（加熱）により形状変化が惹起される形状記憶材料を用いた請求項１に記載のパーマ用ロッド。
【請求項３】
前記変形部は、前記軸体の外径を増大させるように変形するとともに、前記軸体を屈曲ないし湾曲させるように変形するものである請求項１又は２に記載のパーマ用ロッド。
【請求項４】
前記変形部は、前記軸体の一端から他端に向かって外径の増大率が徐々に大きくなるように構成されており、前記軸体が全体として円錐台状となるように変形するものである請求項１〜３のいずれか一項に記載のパーマ用ロッド。
【請求項５】
前記変形部は、前記軸体の外径を増大させるように変形するとともに、前記軸体の断面形状を当初形状とは異なる形状とさせるように変形するものである請求項１〜４のいずれか一項に記載のパーマ用ロッド。
【請求項６】
更に振動子を備えた請求項１〜５のいずれか一項に記載のパーマ用ロッド。
【発明の詳細な説明】
【技術分野】
【０００１】
本発明は、毛髪にパーマネントウエーブをかける際に、毛髪を巻き付けるための巻芯として用いられるパーマ用ロッドに関する。
【背景技術】
【０００２】
パーマネントウエーブ（パーマ）は、熱や化学反応によって毛髪にウエーブを形成し、その形成されたウエーブを一定期間保持させる処理であり、美容目的の他、毛髪の手入れを容易にしたり、縮毛を矯正する等の目的で利用されている。
【０００３】
毛髪はケラチン等のタンパク質が主成分であり、多数のポリペプチド鎖がシステイン残基間のジスルフィド結合を介して相互に結合された網目構造を呈している。例えば、今日広く用いられているコールドパーマは、毛髪のポリペプチド鎖間のジスルフィド結合を化学反応によって一旦切断した後、当初とは異なるシステイン残基間にジスルフィド結合を形成（再結合）することによって、毛髪にウエーブを形成するものである。
【０００４】
通常、コールドパーマは、以下のような工程により行われる（非特許文献１参照）。
ｉ）毛髪をロッドに巻き付ける（ワインディング）。
ii）毛髪にアルカリ剤と還元剤とを含む薬液（「１液」と称される）を塗布して、毛髪内部に１液を十分浸透させる（１液処理）。
iii）余分な１液を洗い流す。
iv）酸化剤を含む薬液（「２液」と称される）を毛髪に塗布する（２液処理）。
【０００５】
上記の方法においては、まず、毛髪内部にアルカリ剤が浸透することによって毛髪が膨潤し、還元剤の毛髪内部への浸透が促進される。次いで、毛髪内部に浸透した還元剤によってポリペプチド鎖間のジスルフィド結合が切断され、相互に結合されていたポリペプチド鎖が乖離される。この際、毛髪内部にはワインディングによって歪み応力が発生しているので、乖離された各ポリペプチド鎖はその歪み応力が解消されるように個別に流動し、他のポリペプチド鎖との間で相対的な位置ズレを起こす。
【０００６】
この状態で毛髪に酸化剤を作用させると、当初とは異なるシステイン残基間で再度ジスルフィド結合が形成されてポリペプチド鎖が再結合され、形成されたウエーブ形状が定着される。ジスルフィド結合は強固な共有結合であるため、後の洗髪等でウエーブがとれることはなく、数箇月間はそのウエーブ形状が保持される。
【０００７】
【非特許文献１】日本化粧品技術者会編、「化粧品事典」、丸善株式会社、平成１５年１２月１５日発行、ｐ．６６５−６６７
【発明の開示】
【発明が解決しようとする課題】
【０００８】
ところで、上記のようなコールドパーマにおいては、毛髪にウエーブを形成し難かったり、或いは形成されたウエーブを長期間保持することができずカールダウンしてしまう等、十分なウエーブ効果が得られない場合がある（いわゆる「パーマのかかりが悪い」状態）。このような現象は、被施術者の髪質（太さや硬さ等）や髪の状態（痛み具合等）に起因して起こることもあるし、また、太いロッドで大きなウエーブ（カール）を形成しようとした場合にも起こることがある。
【０００９】
上記のような場合の対処としては、ｉ）１液にチオグリコール酸のような強力な還元剤を使用する、ii）１液を作用させる時間を延長する、iii）１液を作用させる温度を高くする等の方法が考えられる。
【００１０】
しかしながら、これらの方法はいずれもパーマの条件を過酷にするものであり、被施術者の髪がヘアカラーやブリーチ等で痛んでいる場合等、条件によっては使用できない場合がある。また、何より毛髪にダメージを与えるおそれが大きいという点において問題がある。
【００１１】
他の対処方法としては、ワインディングの際に、ロッドに対して毛髪をきつく巻き付けるという方法も考えられる。この方法は、毛髪に対して高いテンションをかけることができる。従って、毛髪内部により大きな歪み応力を作用させることが可能であり、高いウエーブ効果を得ることが期待できる。
【００１２】
しかしながら、ワインディングには高度な技術が必要とされるため、施術者が技術的に未熟である場合、或いはワインディングの手法によっては、毛髪をきつく巻き付けることが困難な場合がある（例えば、太いロッドで短い髪をワインディングする場合など）。また、ワインディングの際に毛髪をきつく巻き付けようとすると、被施術者の地肌を強く引っ張ってしまうことになり易く、被施術者に苦痛を強いることにもなりかねない。
【００１３】
以上説明したように、従来の方法は、高いウエーブ効果を得ることはできるものの、毛髪にダメージを与えたり、或いは被施術者に苦痛を与えることになり易く、また、施術者の高い技術が必要となるといった未解決の課題が残されており、十分に満足できるものではなかった。即ち、現在のところ、施術者の高い技術を必要とせず、毛髪に対してダメージを与えたり、被施術者に苦痛を与えることなく、より高いウエーブ効果を得られる方策は未だ開示されておらず、理容業界・美容業界からはそのような方策が切望されていた。
【課題を解決するための手段】
【００１４】
本発明者は、上記従来技術の課題を解決するべく鋭意研究を行った結果、パーマ用ロッドの一部に、外部刺激によって形状変化が惹起されるアクチュエート材料（例えば、加熱により形状変化が惹起される形状記憶材料等）を使用し、そのアクチュエート材料の形状変化に基づいてロッドの外径が増大され得る構造とすることにより、上記課題が解決されることに想到し、本発明を完成させた。具体的には、本発明により以下に示すパーマ用ロッドが提供される。
【００１５】
［１］  毛髪を巻き付けるための軸体からなり、前記軸体は、その少なくとも一部が外部刺激に応答して形状変化が惹起されるアクチュエート材料によって構成された変形部を有し、前記変形部は、前記アクチュエート材料の形状変化に基づいて前記軸体の外径を増大させるように変形するものであるパーマ用ロッド。
【００１６】
［２］  前記アクチュエート材料として、熱刺激（加熱）により形状変化が惹起される形状記憶材料を用いた前記［１］に記載のパーマ用ロッド。
【００１７】
［３］  前記変形部は、前記軸体の外径を増大させるように変形するとともに、前記軸体を屈曲ないし湾曲させるように変形するものである前記［１］又は［２］に記載のパーマ用ロッド。
【００１８】
［４］  前記変形部は、前記軸体の一端から他端に向かって外径の増大率が徐々に大きくなるように構成されており、前記軸体が全体として円錐台状となるように変形するものである前記［１］〜［３］のいずれかに記載のパーマ用ロッド。
【００１９】
［５］  前記変形部は、前記軸体の外径を増大させるように変形するとともに、前記軸体の断面形状を当初形状とは異なる形状とさせるように変形するものである前記［１］〜［４］のいずれかに記載のパーマ用ロッド。
【００２０】
［６］  更に振動子を備えた前記［１］〜［５］のいずれかに記載のパーマ用ロッド。
【発明の効果】
【００２１】
本発明のパーマ用ロッドは、施術者の高い技術を必要とせず、また、毛髪に対してダメージを与えたり、或いは被施術者に苦痛を与えることなく、より高いウエーブ効果を得ることが可能である。
【発明を実施するための最良の形態】
【００２２】
以下、本発明のパーマ用ロッドを実施するための最良の形態について図面を参照しながら具体的に説明する。但し、本発明のパーマ用ロッドはこれらの実施形態に限定されるものではない。
【００２３】
本発明のパーマ用ロッドは、図１に示すパーマ用ロッド１のように、毛髪を巻き付けるための軸体２からなり、軸体２は、その少なくとも一部が外部刺激に応答して形状変化が惹起されるアクチュエート材料４によって構成された変形部６を有し、変形部６は、アクチュエート材料４の形状変化に基づいて軸体２の外径を増大させるように変形するものである。
【００２４】
従来のパーマ用ロッドは、毛髪を巻き付けるための軸体が、例えば樹脂等の材料によって形成された不変的・固定的な形状を有するものが一般的であった。これに対し、パーマ用ロッド１は、毛髪を巻き付けるための軸体２に、アクチュエート材料４の形状変化に基づいて軸体２の外径を増大させるように変形する変形部６を有するという従来のパーマ用ロッドとは異なる特徴的な構成を有するものである。
【００２５】
上記のような構成を有するパーマ用ロッド１は、外部刺激を加える前後で軸体２の外径を変化（増減）させることができる。従って、軸体２の外径が小さい（ロッドが細い）状態でワインディングを行った後、外部刺激を加えて軸体２の外径を増大させ、軸体２の外径が大きい（ロッドが太い）状態でパーマ処理（１液による還元処理）を行うといったことが可能となる。
【００２６】
パーマ用ロッド１のような構成では、ワインディングの際にはロッドが細く、毛髪をロッドに巻き付け易い状態となっているため、施術者が技術的に未熟な場合であっても、比較的容易にワインディングを行うことができる。また、ワインディングの後にロッドを太くすることができるので、当初から毛髪をロッドにきつく巻き付ける必要もない。従って、ワインディングの際に被施術者の地肌を強く引っ張ってしまうことが少なくなり、被施術者に苦痛を与える機会を確実に減少させることができる。
【００２７】
一方、パーマ処理の際にはロッドが太い状態となっており、毛髪を当初からきつく巻き付けたのと同じ効果を奏するため、毛髪に対して高いテンションがかかり、毛髪内部に大きな歪み応力を作用させることが可能である。従って、高いウエーブ効果を得ることが期待できる。このことは、必ずしも、ｉ）強力な還元剤を使用する、ii）１液の作用時間を延長する、iii）１液の作用温度を高くするといった、パーマ条件を過酷にする方法をとることなく、高いウエーブ効果を得られることを意味する。即ち、本発明のパーマ用ロッドは、毛髪にダメージを与えることを回避しつつ、高いウエーブ効果を得ることを可能とするものである。
【００２８】
なお、被施術者の髪がヘアカラーやブリーチ等で痛んでいる場合等には、毛髪にダメージを与えることを避けるため、高いウエーブ効果が得難い弱い還元剤（例えば、チオ乳酸やシステイン等）が用いられることが多い。また、太いロッドで大きいカールを形成したい場合や太いロッドで短い髪をワインディングする場合等は、毛髪をロッドにきつく巻き付けることが困難であり、毛髪に対して高いテンションがかかり難い。本発明のパーマ用ロッドは、このような場合であっても高いウエーブ効果を得ることが期待できる点において有用な器具である。
【００２９】
本発明のパーマ用ロッドにおいては、変形部の少なくとも一部（即ち、全部又は一部）が、外部刺激に応答して形状変化が惹起されるアクチュエート材料によって構成されている。「外部刺激」とは、アクチュエート材料の外部環境から供給される物理的ないし化学的刺激等を意味し、例えば、熱刺激（加熱）、光刺激（光照射）、電気刺激（電圧印加）、磁気刺激等の物理的刺激や、ｐＨ変化（酸・アルカリの添加）や水分の変化等の化学的刺激が挙げられる。
【００３０】
本明細書において「アクチュエート材料」というときは、上記のような外部刺激に応答して形状変化が惹起される材料の全てを包含する。具体的には、熱刺激（加熱）に応答して形状変化が惹起される形状記憶材料（例えば、形状記憶合金：チタン−ニッケル合金、銅−アルミニウム−亜鉛合金等、形状記憶樹脂：ポリノルボルネン等）、電気刺激（電圧印加）に応答して形状変化が惹起される圧電・電歪材料（ジルコン酸チタン酸鉛（ＰＺＴ：ＰｂＺｒＴｉＯ3）、マグネシウムニオブ酸鉛（ＰＭＮ：Ｐｂ（Ｍｇ1/3Ｎｂ2/3）Ｏ3）、ポリフッ化ビニリデン等）、光刺激（光照射）に応答して形状変化が惹起される光応答性材料（アゾベンゼン架橋ポリマー等）等が挙げられる。
【００３１】
なお、アクチュエート材料は、外部刺激に応答して形状変化が惹起される材料である限り、単一の材料によって構成されたものである必要はない。例えば、熱膨張係数の異なる２種類の金属を貼り合わせたバイメタル等も加熱により形状変化が惹起される材料の一種であり、本明細書にいう「アクチュエート材料」として好適に用いることができる。バイメタルとしては、低熱膨張性金属として３６％ニッケル−鉄合金（アンバー、熱膨張係数：１．１×１０-6／℃）、高熱膨張性金属として７０％マンガン−銅−ニッケル合金（熱膨張係数：約３０×１０-6／℃）を用い、これらを貼り合わせた接合板等を好適に用いることができる。
【００３２】
また、アクチュエート材料は、パーマの際に容易に加えられる外部刺激によって形状変化が惹起される材料であることが好ましい。例えば、形状変化を惹起する外部刺激が、別途特殊な装置・設備を必要とする電気刺激や磁気刺激であるよりは、美容院等に常備・常設される器具や装置（ドライヤー、加温器、加湿器等）を利用することが可能な外部刺激（加熱や加湿）、或いはパーマ液を媒介して加えることができる外部刺激（水分、ｐＨ変化）であることが好ましい。
【００３３】
このような条件を考慮すると、アクチュエート材料としては、熱刺激（加熱）によって形状変化が惹起される形状記憶材料を用いることが好ましい。一般に、「形状記憶材料」とは、低温で変形するとともに、その温度より高い所定の温度に加熱すると事前に記憶させておいた元の形状（記憶形状）に戻る性質を有する材料を指し、本発明においてもそのような材料を好適に用いることができる。具体的には、チタン−ニッケル合金、銅−アルミニウム−亜鉛合金等の形状記憶合金、ポリノルボルネン、トランスポリイソプレン、スチレン−ブタジエン共重合体、ポリウレタン等の形状記憶樹脂等が知られており、これらの中から使用目的に合致する材料を適宜選択して用いればよい。中でも、上記のような変形サイクルを繰り返し行うことができる材料は、ロッドの再利用が可能となる点において好適に用いることができる。
【００３４】
本発明のパーマ用ロッドにおける「変形部」は、アクチュエート材料の形状変化に基づいて軸体の外径を増大させるように変形するものである。例えば、図１に示すパーマ用ロッド１のように、外部刺激を加えると、アクチュエート材料４が軸体２の外周側に向かって膨出するように形状変化するもの等が挙げられる。パーマ用ロッド１は、アクチュエート材料４の形状変化がそのまま軸体２の外径を増大させる変形部４の形状変化となる構成の例である。
【００３５】
但し、「変形部」の形状変化の態様は上記の態様に限られるものではない。例えば、アクチュエート材料の形状変化がそのまま軸体の外径を増大させる変形部の形状変化とはならないが、アクチュエート材料の形状変化に由来して、最終的に変形部が軸体の外径を増大させるような形状変化をするものであってもよい。具体的には、図２〜図４、及び図７〜図９に示すパーマ用ロッド２１，３１，４１，７１，８１，９１のような態様を例示することができる。
【００３６】
例えば、図２に示すパーマ用ロッド２１は、アクチュエート材料４として低熱膨張性金属２２と高熱膨張性金属２４とを貼り合わせたバイメタル２６を用い、変形部６全体としては破断部２８を有する中空円筒状に構成されたものである。このような構成のパーマ用ロッド２１は、熱という外部刺激を加えると、アクチュエート材料４が低熱膨張性金属２２側に反るように形状変化をする。このようなアクチュエート材料４の形状変化に由来して、破断部２８が押し広げられ、最終的に軸体２の外径が増大される。
【００３７】
また、図３に示すパーマ用ロッド３１は、アクチュエート材料４として、形状記憶材料３２を用い、破断部２８を有する中空円筒体の一部に、予め断面形状をＶ字状に変形させた板状の形状記憶材料３２を挟みこんで変形部６としたものである。このような構成のパーマ用ロッド３１は、熱という外部刺激を加えると、アクチュエート材料４が記憶形状である平板状に戻るように形状変化をする。このようなアクチュエート材料４の形状変化に由来して、破断部２８が押し広げられ、最終的に軸体２の外径が増大される。
【００３８】
更に、図４に示すパーマ用ロッド４１は、アクチュエート材料４として、形状記憶材料４２を用い、破断部２８を有する中空円筒体の一部に、予め断面形状を楕円状に変形させた管状の形状記憶材料４２を挟みこんで変形部６としたものである。このような構成のパーマ用ロッド４１は、熱という外部刺激を加えると、アクチュエート材料４が記憶形状である、断面形状が円形の管状に戻るように形状変化をする。このようなアクチュエート材料４の形状変化に由来して、破断部２８が押し広げられ、最終的に軸体２の外径が増大される。
【００３９】
更にまた、図７に示すパーマ用ロッド７１は、アクチュエート材料４として、棒状の形状記憶材料７２を用い、その形状記憶材料７２を２枚の端部固定板７４を連結させるように配置して変形部６としたものである。パーマ用ロッド７１は、２枚の端部固定板７４の間には複数枚の可撓板７６が掛け渡された構造となっており、熱という外部刺激を加えると、アクチュエート材料４が記憶形状であるジグザグ状に戻るように形状変化をする。このようなアクチュエート材料４の形状変化に由来して、軸体２が収縮するとともに複数の可撓板７６が撓められ、最終的に軸体２の外径が増大される。
【００４０】
また、図８に示すパーマ用ロッド８１は、アクチュエート材料４として、予め断面形状をＶ字状に変形させた折れ板状の形状記憶材料８２を用い、その形状記憶材料８２を２枚の端部固定板７４と複数枚の可撓板７６との間に挟みこんで変形部６としたものである。パーマ用ロッド８１は、中心固定軸８４を２枚の端部固定板７４に連結させるように配置した構造となっており、熱という外部刺激を加えると、アクチュエート材料４が記憶形状である平板状に戻るように形状変化をする。このようなアクチュエート材料４の形状変化に由来して、複数の可撓板７６が撓められ、最終的に軸体２の外径が増大される。
【００４１】
更に、図９に示すパーマ用ロッド９１は、アクチュエート材料４として、コイル状の形状記憶材料９２を用い、その形状記憶材料８２を複数枚の可撓版７６と中心固定軸９４との間に挟みこんで変形部６としたものである。パーマ用ロッド９１は、中心固定軸９４を２枚の端部固定板７４に連結させるように配置し、断面形状がＶ字状の折れ板９６を介して２枚の端部固定板７４と複数枚の可撓板７６とを連結させた構造となっており、熱という外部刺激を加えると、アクチュエート材料４が記憶形状である、より伸張されたコイル状に戻るように形状変化をする。このようなアクチュエート材料４の形状変化に由来して、複数の可撓板７６が撓められ、最終的に軸体２の外径が増大される。本発明においては、図２〜図４、及び図７〜図９に示すパーマ用ロッド２１，３１，４１，７１，８１，９１のような態様のものも好適に用いることができる。
【００４２】
本発明のパーマ用ロッドにおける「変形部」は、軸体の外径を増大させるように変形することが必要であるが、この形状変化に際し他の形状変化を伴うものであってもよい。具体的には、図５及び図６に示すパーマ用ロッド５１，６１のような態様を例示することができる。
【００４３】
例えば、図５に示すパーマ用ロッド５１は、変形部６が軸体２の外径を増大させるように変形するとともに、軸体２を屈曲ないし湾曲させるように変形するものである。パーマ用ロッド５１は、軸体２の軸方向の中央部に変形部６が配置されており、この変形部６を構成するアクチュエート材料４として形状記憶材料を用いている。このような構成のパーマ用ロッド５１は、熱という外部刺激を加えると、アクチュエート材料４が記憶形状である図５中の（ｂ）に示すような形状に戻るように形状変化をする。このようなアクチュエート材料４の形状変化に由来して、変形部６は軸体２の外径を増大させるように変形するとともに、軸体２を屈曲ないし湾曲させるように変形する。なお、本明細書において、「屈曲」とは直線的に折れ曲がった状態を意味し、「湾曲」とは曲線的に（即ち、弓形に）曲がった状態を意味するものとする。
【００４４】
また、図６に示すパーマ用ロッド６１は、変形部６が軸体２の一端から他端に向かって外径の増大率が徐々に大きくなるように構成されており、軸体２が全体として円錐台状となるように変形するものである。パーマ用ロッド６１は、図３に示すパーマ用ロッド３１と同様にアクチュエート材料４として形状記憶材料を用い、破断部を有する中空円筒体の一部に、予め断面形状をＶ字状に変形させた板状の形状記憶材料を挟みこんで変形部６としたものである。但し、その板状の形状記憶材料の幅が軸体２の一端から他端に向かって徐々に幅広くなるように構成されている。
【００４５】
このような構成のパーマ用ロッド６１は、熱という外部刺激を加えると、図３に示すパーマ用ロッド３１と同様にアクチュエート材料４が記憶形状である平板状に戻るように形状変化をする。このようなアクチュエート材料４の形状変化に由来して、破断部は押し広げられるが、その幅が軸体２の一端から他端に向かって徐々に幅広くなっているために、変形部６が軸体２の一端から他端に向かって外径の増大率が徐々に大きくなるように形状変化をする。即ち、軸体２全体としては、円錐台状となるように変形する。
【００４６】
この他にも、図示はしないが、変形部が軸体の外径を増大させるように変形するとともに、軸体の断面形状を当初形状とは異なる形状とさせるように変形するもの、具体的には、軸体を断面形状が円形の管状から断面形状が楕円形ないしは多角形の管状に変形させるもの等も、図５のパーマ用ロッド５１に準じた構成により実現することができる。これらの態様は、既に述べた本発明の効果を奏するのは勿論のこと、ウエーブ形状にアクセントをつける等、パーマのバリエーションを無限に増やすことが可能である。また、ワインディングが容易な軸体形状においてワインディングを行った後に、ワインディングが困難な軸体形状に変形させることができる。従って、施術者が技術的に未熟な場合であっても、豊富なバリエーションのウエーブ形状を形成することができ、施術者の技量の如何に拘らず、パーマによって形成されるウエーブ形状をより表情豊かなものにするという好ましい効果が発揮される。
【００４７】
なお、変形部はパーマ用ロッドの一部であるので、パーマ用ロッドという製品自体に要求される性質（例えば、パーマ液に対する耐食性、パーマ処理の際の加熱に耐える耐熱性、パーマ液が浸透し難い不透水性、軽量、洗浄容易、落としても壊れ難い等）をも備えた材質によって構成されたものであることが好ましい。このような観点から、変形部は形状記憶樹脂によって構成されたもの、形状記憶樹脂やバイメタルを樹脂によってコーティングしたもの等を特に好適に用いることができる。
【００４８】
変形部の形成位置については、軸体の外径を増大させるような変形が可能である限りにおいて特に制限はないが、図１に示すパーマ用ロッド１のように、軸体２の概ね全長に渡って変形部６を形成するか、或いは、軸体の少なくとも中央部に形成することが好ましい。端部のみに変形部を形成した場合と比較して、アクチュエート材料４の変形を軸体２の外径変化に変換し易く、また、ワインディングのテンションを高める効果が大きいからである。
【００４９】
軸体の形状は、一般には、図１に示すパーマ用ロッド１のように、中空円筒状のものが多く使用されるが、毛髪を巻き付けることができる限りにおいてその形状に限定されるものではない。例えば、断面形状が楕円等、円形以外の形状であってもよいし、場合によっては中空ではなく中実の柱状であってもよい。外径についても所望のウエーブの大きさに応じた外径とすればよい。
【００５０】
また、図１に示すパーマ用ロッド１のように、軸体２の中央部を細く、両端部を太く構成することも好ましい実施形態の一つである。このような構成は、軸体２の外径を増大させるような変形が起こった際にワインディングした毛髪がロッドから外れ難い点において好ましい。更には、図１に示すパーマ用ロッド１のように、ロッドの両端部に複数の切り欠き部８を形成することも好ましい。このような構成は、切り欠き部８に輪ゴムをかけることにより、毛髪をワインディングした状態のまま毛髪を固定することができる点において好ましい。
【００５１】
更に、図面には示さないが、軸体の表面を粗面とすることも好ましい実施形態の一つである。このような構成とすることにより、ワインディングの際に軸体表面で毛髪が滑ってしまうのを防止することができる。従って、ワインディングが容易となることに加え、ワインディング後に毛髪が緩むことも少なくなり、毛髪に対して確実にテンションをかけることが可能となる。粗面の形態は特に限定されないが、例えば、軸体の表面に細かい凹凸を付ける、軸体の表面をマット状に加工する、多数の細溝を形成する等の形態が挙げられる。
【００５２】
また、本発明のパーマ用ロッドは、更に振動子を備えたものであることが好ましい。既述の１液処理の際に振動子を振動させることにより、毛髪を構成するポリペプチド鎖間のジスルフィド結合の切断が促進される。これにより、乖離されたポリペプチド鎖は流動し易くなり、ワインディングによって発生した歪み応力が同程度であっても、ポリペプチド鎖間の相対的な位置ズレはより大きなものとなる。この状態でウエーブ形状の付与を行い、更に２液処理（ポリペプチド鎖の再結合）を行うことで、毛髪に所望のウエーブを形成し易くなり、形成されたウエーブを長期間保持することができる。従って、既に述べた本発明の効果と相俟って、より高いウエーブ効果を得ることが可能となる。
【００５３】
なお、本明細書において「振動子」というときは、一定の振幅及び周波数で振動させることが可能な素子を意味し、例えば、超音波振動子や圧電・電歪セラミックを利用したセラミックアクチュエータ等が挙げられる。振動子の配置位置は特に限定されないが、例えば、軸体を中空円筒状に構成し、その中空部に配置することができる。
【００５４】
なお、本明細書において「ロッド」というときは、毛髪を巻き付けるための巻芯となる器具は全て包含されるものとする。例えば、一般に、カーラー、ピン等と称されているものであっても、パーマに際し毛髪を巻き付けるための巻芯として用いられるものである限り、名称の如何を問わず、本発明の範囲に含まれる。また、軸体が塑性変形可能な材料で構成され、軸体を屈曲又は湾曲させることにより、所望の形状を付与することができるロッド（「変形ロッド」と称される）も存在するが、本発明はこのようなロッドにも適用することが可能である。
【００５５】
以上、本明細書においては、コールドパーマの例により本発明のパーマ用ロッドの効果を説明してきたが、本発明のパーマ用ロッドの用途がコールドパーマに限定されないことはいうまでもない。例えば、ホットパーマやスチームカーラー等の毛髪に対してウエーブを形成するための処理であれば当然に本発明のパーマ用ロッドを利用することができる。この場合にも、コールドパーマの場合と同様に、毛髪に対して高いテンションをかけることができ、高いウエーブ効果を得ることが可能である。
【産業上の利用可能性】
【００５６】
本発明のパーマ用ロッドは、毛髪にパーマネントウエーブをかける際に、毛髪を巻き付けるための巻芯として好適に用いられる。
【図面の簡単な説明】
【００５７】
【図１】本発明のパーマ用ロッドの一の実施形態を示す説明図であり、（ａ）図は変形前の状態を示す斜視図、（ｂ）図は変形後の状態を示す斜視図である。
【図２】本発明のパーマ用ロッドの別の実施形態を示す説明図であり、（ａ）図は変形前の状態を軸体の端部方向から見た断面図、（ｂ）図は変形後の状態を軸体の端部方向から見た断面図である。
【図３】本発明のパーマ用ロッドの更に別の実施形態を示す説明図であり、（ａ）図は変形前の状態を軸体の端部方向から見た断面図、（ｂ）図は変形後の状態を軸体の端部方向から見た断面図である。
【図４】本発明のパーマ用ロッドの更に別の実施形態を示す説明図であり、（ａ）図は変形前の状態を軸体の端部方向から見た断面図、（ｂ）図は変形後の状態を軸体の端部方向から見た断面図である。
【図５】本発明のパーマ用ロッドの更に別の実施形態を示す説明図であり、（ａ）図は変形前の状態を軸体の側方から見た側面図、（ｂ）図は変形後の状態を軸体の側方から見た側面図である。
【図６】本発明のパーマ用ロッドの更に別の実施形態を示す説明図であり、（ａ）図は変形前の状態を軸体の側方から見た側面図、（ｂ）図は変形後の状態を軸体の側方から見た側面図である。
【図７】本発明のパーマ用ロッドの更に別の実施形態を示す一部切欠断面図であり、中心線より右側は内部構造を示し、左側は外部構造を示すものである。そして、（ａ）図は変形前の状態を軸体の側方から見た側面図、（ｂ）図は変形後の状態を軸体の側方から見た側面図である。
【図８】本発明のパーマ用ロッドの更に別の実施形態を示す一部切欠断面図であり、中心線より右側は内部構造を示し、左側は外部構造を示すものである。そして、（ａ）図は変形前の状態を軸体の側方から見た側面図、（ｂ）図は変形後の状態を軸体の側方から見た側面図である。
【図９】本発明のパーマ用ロッドの更に別の実施形態を示す一部切欠断面図であり、中心線より右側は内部構造を示し、左側は外部構造を示すものである。そして、（ａ）図は変形前の状態を軸体の側方から見た側面図、（ｂ）図は変形後の状態を軸体の側方から見た側面図である。
【符号の説明】
【００５８】
１，２１，３１，４１，５１，６１，７１，８１，９１…パーマ用ロッド、２…軸体、４…アクチュエート材料、６…変形部、８…切り欠き部、２２…低熱膨張性金属、２４…高熱膨張性金属、２６…バイメタル、２８…破断部、３２，４２，７２，８２，９２…形状記憶材料、７４…端部固定板、７６…可撓板、８４，９４…中心固定軸、９６…折れ板。
【図１】
2006068081.tif 000003
【図２】
2006068081.tif 000004
【図３】
2006068081.tif 000005
【図４】
2006068081.tif 000006
【図５】
2006068081.tif 000007
【図６】
2006068081.tif 000008
【図７】
2006068081.tif 000009
【図８】
2006068081.tif 000010
【図９】
2006068081.tif 000011